(57)【要約】【課題】排水栓を排水口から大きな力を使うことなく容易に引き抜くことができるとともに、排水栓を無くすことなくしかも清掃の邪魔にもならず大型の貯水槽に好適な排水栓を提供する。【解決手段】貯水槽２の排水口２１を開閉する排水栓１において、排水口２１を開閉する主栓３と、主栓３に形成された小排水口３１を開閉する副栓４との二重栓構造になされ、主栓３に対して副栓４が開放した状態で保持されるとともに、この状態で主栓３が排水口２１を開放して保持されるようになされている。前記排水口２１からの離脱を阻止する抜け止め手段５４が設けられている。副栓４には主栓保持片３２と排水口保持片２３とに挿通されたロッド５が連設され、主栓保持片３２に対してロッド５を保持することで副栓４が開放した状態で保持されるとともに、排水口保持片２３に対してロッド５を保持することで主栓３が排水口２１を開放した状態で保持されるようになされている。【選択図】  図１
2004329658.tif 000002
【特許請求の範囲】
【請求項１】
貯水槽の排水口を開閉する排水栓において、
前記排水口を開閉する主栓と、この主栓に形成された小排水口を開閉する副栓との二重栓構造になされ、上記主栓に対して副栓が開放した状態で保持されるとともに、この状態で主栓が前記排水口を開放して保持されるようになされたことを特徴とする排水栓。
【請求項２】
前記排水口からの離脱を阻止する抜け止め手段が設けられたことを特徴とする請求項１記載の排水栓。
【請求項３】
前記副栓には、前記主栓の小排水口に架設された主栓保持片と、前記排水口の下方に架設された排水口保持片とに挿通されたロッドが連設され、主栓保持片に対してロッドを所定の位置で保持することで主栓に対して副栓が開放した状態で保持されるとともに、排水口保持片に対してロッドを所定の位置で保持することで主栓が前記排水口を開放した状態で保持されるようになされたことを特徴とする請求項１又は２記載の排水栓。
【発明の詳細な説明】
【０００１】
【発明の属する技術分野】
本発明は、貯水槽の排水口を開閉する排水栓に関し、特に大型浴槽などの大型の貯水槽に好適な排水栓に関するものである。
【０００２】
【従来の技術】
従来、浴槽などの貯水槽の排水口に排水栓が着脱自在に設けられ、排水口から排水栓を引き抜くことにより、当該排水口を開放して貯水槽に貯留された貯留水を排水するようにしている（例えば、特許文献１参照）。
【０００３】
【特許文献１】
特開２００２−３３９４２５号公報
【０００４】
【発明が解決しようとする課題】
しかしながら、上記従来の排水栓では、大型浴槽のような大型の貯水槽の排水口に使用した場合に、当該貯留槽に貯留した貯留水により排水栓に大きな水圧がかかるため、排水栓を排水口から引き抜くのに大きな力が必要になり作業が大変であるという問題があった。
【０００５】
また、排水口から引き抜いた排水栓を無くしてしまう虞がある反面、これを解消するためにチェーンなどを用いて排水栓を貯水槽の適所に連結すると、当該チェーンが清掃などの邪魔になるという新たな問題が生じていた。
【０００６】
本発明は、上記問題点に鑑みてなされたもので、その目的とするところは、排水栓を排水口から大きな力を使うことなく容易に引き抜くことができるとともに、排水栓を排水口から引き抜いた状態で当該排水口の上方に保持することで、排水栓を無くすことなくしかも清掃の邪魔にもならず、大型の貯水槽に好適な排水栓を提供することにある。
【０００７】
【課題を解決するための手段】
請求項１に係る発明の排水栓は、貯水槽の排水口を開閉する排水栓において、前記排水口を開閉する主栓と、この主栓に形成された小排水口を開閉する副栓との二重栓構造になされ、上記主栓に対して副栓が開放した状態で保持されるとともに、この状態で主栓が前記排水口を開放して保持されるようになされたものである。
【０００８】
請求項２に係る発明の排水栓は、前記排水口からの離脱を阻止する抜け止め手段が設けられたものである。
【０００９】
請求項３に係る発明の排水栓は、前記副栓には、前記主栓の小排水口に架設された主栓保持片と、前記排水口の下方に架設された排水口保持片とに挿通されたロッドが連設され、主栓保持片に対してロッドを所定の位置で保持することで主栓に対して副栓が開放した状態で保持されるとともに、排水口保持片に対してロッドを所定の位置で保持することで主栓が前記排水口を開放した状態で保持されるようになされたものである。
【００１０】
【発明の実施の形態】
以下、本発明の実施の形態を図面を参照して説明する。
【００１１】
図１は、本発明の排水栓の構造を示している。
【００１２】
この排水栓１は、貯水槽２の排水口２１を開閉するもので、当該排水口２１を開閉する主栓３と、この主栓３に形成された小排水口３１を開閉する副栓４との二重栓構造になされている。
【００１３】
主栓３は、その周縁部が当該排水口２１の上部と合致するように形成されており、図１に示すように副栓４とともに排水口２１を閉塞ようになされている。このように主栓３が排水口２１を閉塞した際に当該主栓３と対峙する排水口２１の周囲にはパッキン２２が配設されており、このパッキン２２によって排水口２１と主栓３との接合部からの水の漏洩を防止するようにしている。
【００１４】
また、主栓３には、図２に示すようにその中央部に上述した小排水口３１が形成され、この小排水口３１には例えば矩形状の主栓保持片３２が架設されている。
【００１５】
副栓４は、上記主栓３の小排水口３１の断面形状と合致するように形成されており、図１に示すように上記主栓保持片３２上に保持されることによって小排水口３１を閉塞するようになされている。このように副栓４が小排水口３１を閉塞した際に当該副栓４の下端周縁と対峙する主栓３の小排水口３１の下部周縁にはパッキン３３が配設されており、このパッキン３３によって小排水口３１と副栓４との接合部からの水の漏洩を防止するようにしている。
【００１６】
また、副栓４の上面には、図３に示すように半円状の把手部材４１がその基端部を中心に回動自在に設けられており、通常は副栓４の上面と略面一になるように副栓４の上面に配置され、把手部材４１を摘んで回動させて上方に持ち上げることによって副栓４の上面から突出配置されるようになっている。
【００１７】
ところで、この副栓４の底面中央部には下方に延長されたロッド５の上端部が連結されている。
【００１８】
ロッド５は、前記主栓保持片３２の中央部に形成された挿通孔３４を挿通して配置されている。
【００１９】
一方、前記排水口２１の下部には矩形状の排水口保持片２３が架設されている。排水口保持片２３の中央部には挿通孔２４が形成されており、この挿通孔２４に上記ロッド５の下端部が挿通して配置されている。つまり、ロッド５は、上記通通孔３４及び挿通孔２４を挿通して配置されている。
【００２０】
さらに、ロッド５の上端部側には、上記挿通孔３４に挿通可能で且つ挿通孔３４を形成する主栓保持片３２上面の周縁に係止可能な上部係止部材５１と、この上部係止部材５１の下方に所定間隔を隔てて上部ストッパ５２が一体的に設けられている。
【００２１】
上部係止部材５１は、図２に示すように挿通孔３４と同じ形状の例えば正三角形状に形成されており、挿通孔３４に合致させた状態でロッド５を上方に移動させることで当該挿通孔３４を挿通することができ、挿通孔３４を挿通して上方に配置した後に図２に一点鎖線で示すように所定角度（例えば６０°）回転させることで挿通孔３４を形成する主栓保持片３２上面の周縁に係止させることができるようにしている。
【００２２】
上部ストッパ５２は、挿通孔３４を挿通することができない形状及び大きさに形成されており、上部ストッパ５２が挿通孔３４を形成する主栓保持片３２下面周縁に下方から当接することで、主栓３に対するロッド５の上方への移動、つまり主栓３に対するロッド５が連設された副栓４の上方への移動を阻止するようにしている。
【００２３】
上部係止部材５１と上部ストッパ５２との間隔は、上述したような動作を達成する上で主栓保持片３２の厚みよりも若干大きくするのが好ましい。
【００２４】
また、上部係止部材５１が回り過ぎず所定の位置で回転が阻止されるように図２に示すように主栓保持片３２の上面にストッパ用の突起３２ａを設けておくのが好ましい。
【００２５】
さらに、ロッド５の下端部側にも上記挿通孔２４に挿通可能で且つ挿通孔２４を形成する排水口保持片２３上面の周縁に係止可能な下部係止部材５３と、この下部係止部材５３の下方に所定間隔を隔てて抜け止め手段としての下部ストッパ５４が一体的に設けられている。
【００２６】
下部係止部材５３は、前記上部係止部材５１及び挿通孔３４と同様に挿通孔２４と同じ形状の例えば正三角形状に形成されており、挿通孔２４に合致させた状態でロッド５を上方に移動させることで当該挿通孔２４を挿通することができ、挿通孔２４を挿通して上方に配置した後に所定角度（例えば６０°）回転させることで挿通孔２４を形成する排水口保持片２３上面の周縁に係止させることができるようにしている。
【００２７】
下部ストッパ５４は、挿通孔２４を挿通することができない形状及び大きさに形成されており、下部ストッパ５４が挿通孔２４を形成する排水口保持片２３下面周縁に下方から当接することで、排水口２１に対するロッド５の上方への移動、つまり排水口２１に対するロッド５が連設された主栓３の上方への移動を阻止するようにしている。
【００２８】
下部係止部材５３と下部ストッパ５４との間隔は、上述したような動作を達成する上で排水口保持片２３の厚みよりも若干大きくするのが好ましい。
【００２９】
また、下部係止部材５３が回り過ぎず所定の位置で回転が阻止されるように排水口保持片２３の上面にストッパ用の突起（図示省略）を設けておくのが好ましい。
【００３０】
次に、このように構成された排水栓１を用いて排水口２１を開放する動作について説明する。
【００３１】
まず、図１に示す状態から副栓４の把手部材４１を摘んで当該副栓４をロッド５とともに上方に持ち上げる。この際、ロッド５の上部係止部材５１を挿通孔３４と合致させた状態で副栓４を上方に持ち上げることにより、上部係止部材５１が挿通孔３４を挿通して上方に配置され、この状態で副栓４をロッド５とともに上部係止部材５１が突起３２ａと当接するように６０°回転させる。
【００３２】
これにより上部係止部材５１が図４に示すように主栓保持片３２に係止され、主栓３に対して副栓４を上方に持ち上げて主栓３の小排水口３１を開放した位置で当該副栓４を保持する。この結果、まず小排水口３１から貯水槽２に貯留された貯留水が排水される。
【００３３】
この後、副栓４をさらに上方に持ち上げることによって主栓３の底面に当接する上部ストッパ５２により当該主栓３を上方に持ち上げる。
【００３４】
この際、ロッド５の下部係止部材５３を挿通孔２４と合致させた状態で副栓４を上方に持ち上げることにより、下部係止部材５３が挿通孔２４を挿通して上方に配置され、この状態で副栓４をロッド５とともに下部係止部材５３がストッパ用の突起と当接するように６０°回転させる。
【００３５】
これにより下部係止部材５３が図５に示すように排水口保持片２３に係止され、排水口２１に対して主栓３を上方に持ち上げて排水口２１全体を開放した位置で主栓３を保持する。この結果、今度は排水口２１から貯水槽２に貯留された貯留水が排水される。
【００３６】
つまり、上部係止部材５１を回転させて主栓保持片３２に係止させた際に、下部係止部材５３と挿通孔２４とが合致するように、上部係止部材５１、挿通孔３４、下部係止部材５３及び挿通孔２４の各位置を決定しておけばよい。
【００３７】
また、下部係止部材５３を回転させて排水口保持片２３に係止させた際に、上部係止部材５１と挿通孔３４とが合致したとしても、主栓３が上部ストッパ５２により保持されるとともに、副栓４が下部係止部材５３と排水口保持片２３との係止によりロッド５で保持されることから、これら主栓３及び副栓４は図５に示す状態を維持することができる。
【００３８】
このように、まず重圧面積の小さい副栓４を主栓３に対して開放して主栓３の小排水口３１から貯留水を排水し、続いて副栓４の開放により重圧面積の小さくなった主栓３を開放して排水口２１全体から貯留水を排水することで、排水口２１の開放を小さい力で容易に開放することができ、特に、貯留水の水圧が大きくかかる大型浴槽などの大型の貯水槽に好適である。
【００３９】
また、排水栓１で排水口２１を開放した際には、下部ストッパ５４により排水栓１全体が排水口保持片２３から抜け止めされるため、排水栓１を無くすことがなく、また、チェーン等も不要であるため清掃などの邪魔になることもない。
【００４０】
そして、開放した排水栓１で再び排水口２１を閉塞する場合には、下部係止部材５３と挿通孔２４とを合致させ、続いて上部係止部材５１と挿通孔３４とを合致させて、前述した動作と逆の動作で主栓３と副栓４とを排水口２１に配置する。
【００４１】
なお、上述した実施形態は、あくまでも本発明の好適な実施態様を示すものであって、本発明はこれに限定されることなく、その範囲内において種々設計変更可能である。
【００４２】
例えば、上部係止部材５１、挿通孔３４、下部係止部材５３及び挿通孔２４の形状は正三角形状に限らず、上述した挿通及び係止動作が得られる形状であればよい。
【００４３】
【発明の効果】
以上述べたように、本発明の排水栓によれば、排水口の開放を小さい力で容易に開放することができ、特に、貯留水の水圧が大きくかかる大型浴槽などの大型の貯水槽に好適である。また、排水栓で排水口を開放した際には、抜け止め手段により排水栓が排水口からの離脱を阻止されて抜け止めされるため、排水栓を無くすことがなく、また、チェーン等も不要であるため清掃などの邪魔になることもない。
【図面の簡単な説明】
【図１】本発明の排水栓の構造を示す断面図である。
【図２】上部係止部材及び挿通孔の形状と両者の関係を示す平面図である。
【図３】副栓に設けた把手部材を示す平面図である。
【図４】本発明の排水栓による排水動作を示す断面図である。
【図５】本発明の排水栓による排水動作を示す断面図である。
【符号の説明】
１  排水栓
２  貯水槽
２１  排水口
２３  排水口保持片
３  主栓
３１  小排水口
３２  主栓保持片
４  副栓
５  ロッド
５４  下部ストッパ（抜け止め手段）
【図１】
2004329658.tif 000003
【図２】
2004329658.tif 000004
【図３】
2004329658.tif 000005
【図４】
2004329658.tif 000006
【図５】
2004329658.tif 000007